(57)【要約】【課題】携帯端末に表示される画像を複数ページ複写する場合でも、操作性に優れた画像処理システムを得ること。【解決手段】電子ブック端末１およびコピー機２にそれぞれ通信インタフェース１４，２７を備えて相互通信を可能とし、コピー機２の制御部２４がスキャナ２６によって表示部１３に表示されている画像を読み取った後に電子ブック端末１にページ表示要求の通知し、電子ブック端末１の制御部１２は、ページ表示要求の通知を受けると、表示部１３に表示する画像を更新、すなわちページめくりを行った後にコピー機２にページ表示完了を通知する。【選択図】        図２
2006254224.tif 000002
【特許請求の範囲】
【請求項１】
デジタルコンテンツの画像を表示する表示手段を有する携帯端末と、前記表示手段に表示された画像を読み取ってディジタル画像データを生成する読み取り手段を有する画像形成装置とを備える画像処理システムにおいて、
前記携帯端末は、
前記画像形成装置の状態を認識する認識手段と、
前記認識手段を用いて前記画像形成装置の読み取り手段が前記表示手段に表示されている画像を読み取ったことを認識すると、前記表示手段に表示する画像を更新する制御手段と、
を備えることを特徴とする画像処理システム。
【請求項２】
前記画像形成装置は、
前記携帯端末と相互通信を行なうための通信インタフェース手段と、
前記読み取り手段によって前記表示手段に表示された画像を読み取った後に、前記通信インタフェース手段を介して前記携帯端末にページ表示要求を通知するとともに、前記携帯端末からページ表示完了の通知を受けると、再度前記読み取り手段を用いて前記表示手段に表示された画像を読み取らせる制御手段と、
を備え、
前記携帯端末は、
前記認識手段として、前記画像形成装置と相互通信を行なうための通信インタフェース手段を備え、前記携帯端末の制御手段は、前記ページ表示要求の通知を受けると前記画像形成装置の読み取り手段が前記表示手段に表示されている画像を読み取ったと認識して前記表示手段に表示する画像を更新し、画像を更新した後に前記ページ表示完了を前記画像形成装置に通知すること、
を特徴とする請求項１に記載の画像処理システム。
【請求項３】
前記画像形成装置の読み取り手段は、
前記携帯端末の表示手段に照明光を照射して反射光を受光することによって表示手段に表示されている画像を読み取ってディジタル画像データを生成し、
前記携帯端末は、
前記認識手段として、前記画像形成装置の読み取り手段から照射される照明光を検出する光学式センサを備え、前記携帯端末の制御手段は、前記光学式センサが照明光を検出した場合に前記画像形成装置の読み取り手段が前記表示手段に表示されている画像を読み取ったと認識すること、
を特徴とする請求項１に記載の画像処理システム。
【請求項４】
前記画像形成装置の読み取り手段が前記携帯端末の表示手段に表示される画像を読み取る前に、前記画像形成装置の制御手段と前記携帯端末の制御手段とがネゴシエーションを行なって前記携帯端末の表示手段に表示されるデジタルコンテンツの画像のファイル情報をやり取りすること、
を特徴とする請求項２に記載の画像処理システム。
【請求項５】
前記画像形成装置の読み取り手段が前記携帯端末の表示手段に表示された画像を読み取る前に、前記携帯端末の制御手段は、前記表示手段に表示するデジタルコンテンツの画像のファイル情報を前記表示手段に表示させ、
前記画像形成装置の制御手段は、前記読み取り手段を用いて前記携帯端末の表示手段に表示されているファイル情報を読み取らせて前記ファイル情報を取得すること、
を特徴とする請求項３に記載の画像処理システム。
【請求項６】
前記ファイル情報は、前記デジタルコンテンツの画像の総ページ数、カラー画像であるのかモノクロ画像であるのかを示す表示色情報、文字のみの表示であるのか文字と写真とが混在している表示であるのか写真のみの表示であるのかを示す表示内容情報の少なくとも１つを含み、前記表示色情報および前記表示内容情報は各ページ単位の情報とすること、
を特徴とする請求項４または５に記載の画像処理システム。
【請求項７】
前記携帯端末の制御手段は、前記ファイル情報をバーコード画像として前記表示手段に表示させること、
を特徴とする請求項５または６に記載の画像処理システム。
【請求項８】
前記画像形成装置は、
前記携帯端末の表示手段に表示させる画像に関する表示指定情報をユーザから受け付ける操作手段、
をさらに備え、
前記画像形成装置の制御手段は、
前記表示指定情報を前記携帯端末に通知し、
前記携帯端末の制御手段は、
前記画像形成装置の制御手段から通知された表示指定情報に基づいて、前記表示手段に画像を表示すること、
を特徴とする請求項４または６に記載の画像処理システム。
【請求項９】
前記携帯端末は、
前記表示手段に表示させる画像に関する表示指定情報をユーザから受け付ける操作手段、
をさらに備え、
前記携帯端末の制御手段は、
前記表示指定情報に基づいて前記表示手段に画像を表示すること、
を特徴とする請求項５〜７の何れか１つに記載の画像処理システム。
【請求項１０】
前記表示指定情報は、前記デジタルコンテンツの画像の一部分を示す情報であり、前記操作手段は、前記デジタルコンテンツの画像のページ毎に前記表示指定情報を受け付けること、
を特徴とする請求項８または９に記載の画像処理システム。
【請求項１１】
前記操作手段は、前記表示指定情報を、前記デジタルコンテンツの画像のオブジェクト単位で受け付けること、
を特徴とする請求項８または９に記載の画像処理システム。
【発明の詳細な説明】
【技術分野】
【０００１】
本発明は、携帯端末に表示されるデジタルコンテンツの画像をスキャナによって読み込んでディジタル画像データを生成する画像処理システムに関するものである。
【背景技術】
【０００２】
近年、ＰＤＡ（Personal Digital Assistance）や電子ブック端末などの携帯性に優れた電子機器（携帯端末）が普及している。しかしながら、携帯端末が携帯性に優れているとはいえ、紙と比較して重量は重い。そのため、携帯端末のデータの一部だけを持ち運びたい場合には、携帯端末の表示データを紙に印刷（複写）することになる。
【０００３】
このような場合、ＰＤＡ端末であれば、ケーブル接続、または赤外線インタフェースによってプリンタと通信する環境を整えて、プリンタドライバを導入して所望のデータをプリントする。
【０００４】
また、電子ブック端末は、閲覧に特化したものであるため、プリント機能を備えていない。そのため、電子ブック（たとえば、辞書や小説などの単行本や漫画などの文字情報や絵情報が格納された記憶媒体）をパーソナルコンピュータ（以下、ＰＣとする）に挿入してプリントアウトする。
【０００５】
このように、プリンタと通信を行なったり、電子ブックをＰＣに挿入したりして所望のデータをプリントアウトする場合、高品位な画質で所望のデータをプリントアウトすることができるが、プリントアウト可能な状態にするための設定の手間や時間がかかってしまう。
【０００６】
高品位な画質が要求されない場合、すなわち、携帯端末に表示されているデータ（画像）が読めればよいというレベルの画質でよい場合には、表示されている画像をコピー機を用いて複写するという方法がある。すなわち、携帯端末の表示部をコピー機のスキャナ部分の原稿台に載せて、コピーボタンを押すことで表示部に表示されている画像を読み取りって複写すれば、設定の手間や時間を省くことができる。
【０００７】
携帯端末などの表示部に表示されている画像を読み取る従来技術として、特許文献１および特許文献２がある。特許文献１には、イメージスキャナと表示画面前面を密着させて画面に表示されたカラー画像データを読み込み、このデータを用いて表示装置の色補正を行なう画像処理装置に関する技術が開示されている。
【０００８】
また、特許文献２には、テレビ番組などのディスプレイに表示された情報を記録することを目的とするもの。屈折率分布型レンズアレイを用いて、ディスプレイ表面よりも奥まった位置にある画像を、ぼけなく結像することで、高品位な読み取りを可能にするディスプレイ画面読み取り装置に関する技術が開示されている。
【０００９】
【特許文献１】特開平７−１４３３４０号公報
【特許文献２】特開平９−３２１９２６号公報
【発明の開示】
【発明が解決しようとする課題】
【００１０】
しかしながら、上記特許文献１および２に記載の従来技術は、表示部に表示された画像を読み取る際の画質を維持するためのものであり、画像を読み取る際の操作性に関する技術は開示されていない。
【００１１】
携帯端末の表示部に表示された画像を読み取って複写する場合、複写すべき画像を表示部に表示させた後に、原稿台に載せてコピーボタンを押下して複写する。複写すべき画像が１ページであれば問題は無いが、複数ページ分の画像を複写する場合には、複写すべき画像を表示部に表示させる、すなわちページをめくる操作を行なった後に、原稿台に載せてコピーボタンを押下して複写する動作を繰り返さなければならず、操作性が悪いという問題があった。
【００１２】
図１４および図１５を参照して、電子ブック端末の画像を複数ページ複写する場合の操作を具体的に説明する。図１４に示すように、電子ブック端末１００は、本体に図示しない半導体メモリなどの記憶手段に記憶された電子ブックを差込んで、電源ボタン１１１が操作されて電源がオンになると、表示部１３に電子ブックに格納された情報を表示する。ユーザは、ページ送りボタン１１４やページ戻しボタン１１３を用いて本のページをめくるように、表示部１３に表示する画像を更新する。また、ユーザは、メニューボタン１１２を操作することで、電子ブック端末１００が備える各種メニュー、たとえば、表示部１３に表示する文字サイズや画面のコントラスト、電子ブックの選択（どのタイトルを表示させるか）などの設定を行い、電子ブック端末１００は、ユーザからの設定にしたがって画像を表示する。
【００１３】
電子ブック端末１００の特徴は、ＰＣやＰＤＡ端末のような多機能端末ではなく、電子ブックを表示することに特化した単機能の携帯端末であるということである。また、電子ブック端末１００は、少量のバッテリーで長時間の駆動を可能とするために、表示部１３に新しい画像を表示するとき、すなわち、表示切替時のみ電力を消費するように、マイクロカプセル型電気泳動方式などを採用している。基本原理は、プラスに帯電した白の粒子とマイナスに帯電した黒の粒子が、マイクロカプセルと呼ぶ球の中で移動して白黒を表示するものであり、表示切り換えの速度が比較的遅いことも特徴である。
【００１４】
電子ブック端末１００の表示部１３に表示された画像をコピー機を用いて複写する場合、図１５に示すように、コピー機の圧版２１を開いてスキャナ部分の原稿台２２に表示部１３が下になるように（表示部１３と原稿台２２とが向かい合うように）設置して、スタートボタン２３を押す。
【００１５】
１ページのみの複写であれば、電子ブック端末１００のページ戻しボタン１１３またはページ送りボタン１１４を操作して所望のページを表示部１３に表示させてコピー機の圧版２１を開いて原稿台２２に電子ブック端末１００を設置し、スタートボタン２３を押すという作業だけですむが、複数ページ複写する場合には、これらの動作を複写するページ数と同じ回数だけ行なわなければならない。すなわち、一旦、電子ブック端末１００を取り上げてページ戻しボタン１１３またはページ送りボタン１１４を操作してページめくりを行なった後に、再び原稿台２２に設置してスタートボタン２３を押すといった作業を繰り返さなければならない。この作業は、ユーザにとって煩わしいものであり、操作性が悪い。
【００１６】
本発明は、上記に鑑みてなされたものであって、携帯端末に表示される画像を複数ページ複写する場合でも、操作性に優れた画像処理システムを得ることを目的としている。
【課題を解決するための手段】
【００１７】
上述した課題を解決し、目的を達成するために、請求項１にかかる発明は、デジタルコンテンツの画像を表示する表示手段を有する携帯端末と、前記表示手段に表示された画像を読み取ってディジタル画像データを生成する読み取り手段を有する画像形成装置とを備える画像処理システムにおいて、前記携帯端末は、前記画像形成装置の状態を認識する認識手段と、前記認識手段を用いて前記画像形成装置の読み取り手段が前記表示手段に表示されている画像を読み取ったことを認識すると、前記表示手段に表示する画像を更新する制御手段と、を備えることを特徴とする。
【００１８】
また、請求項２にかかる発明は、請求項１にかかる画像処理システムにおいて、前記画像形成装置は、前記携帯端末と相互通信を行なうための通信インタフェース手段と、前記読み取り手段によって前記表示手段に表示された画像を読み取った後に、前記通信インタフェース手段を介して前記携帯端末にページ表示要求を通知するとともに、前記携帯端末からページ表示完了の通知を受けると、再度前記読み取り手段を用いて前記表示手段に表示された画像を読み取らせる制御手段と、を備え、前記携帯端末は、前記認識手段として、前記画像形成装置と相互通信を行なうための通信インタフェース手段を備え、前記携帯端末の制御手段は、前記ページ表示要求の通知を受けると前記画像形成装置の読み取り手段が前記表示手段に表示されている画像を読み取ったと認識して前記表示手段に表示する画像を更新し、画像を更新した後に前記ページ表示完了を前記画像形成装置に通知すること、を特徴とする。
【００１９】
また、請求項３にかかる発明は、請求項１にかかる画像処理システムにおいて、前記画像形成装置の読み取り手段は、前記携帯端末の表示手段に照明光を照射して反射光を受光することによって表示手段に表示されている画像を読み取ってディジタル画像データを生成し、前記携帯端末は、前記認識手段として、前記画像形成装置の読み取り手段から照射される照明光を検出する光学式センサを備え、前記携帯端末の制御手段は、前記光学式センサが照明光を検出した場合に前記画像形成装置の読み取り手段が前記表示手段に表示されている画像を読み取ったと認識すること、を特徴とする。
【００２０】
また、請求項４にかかる発明は、請求項２にかかる画像処理システムにおいて、前記画像形成装置の読み取り手段が前記携帯端末の表示手段に表示される画像を読み取る前に、前記画像形成装置の制御手段と前記携帯端末の制御手段とがネゴシエーションを行なって前記携帯端末の表示手段に表示されるデジタルコンテンツの画像のファイル情報をやり取りすること、を特徴とする。
【００２１】
また、請求項５にかかる発明は、請求項３にかかる画像処理システムにおいて、前記画像形成装置の読み取り手段が前記携帯端末の表示手段に表示された画像を読み取る前に、前記携帯端末の制御手段は、前記表示手段に表示するデジタルコンテンツの画像のファイル情報を前記表示手段に表示させ、前記画像形成装置の制御手段は、前記読み取り手段を用いて前記携帯端末の表示手段に表示されているファイル情報を読み取らせて前記ファイル情報を取得すること、を特徴とする。
【００２２】
また、請求項６にかかる発明は、請求項４または５にかかる画像処理システムにおいて、前記ファイル情報は、前記デジタルコンテンツの画像の総ページ数、カラー画像であるのかモノクロ画像であるのかを示す表示色情報、文字のみの表示であるのか文字と写真とが混在している表示であるのか写真のみの表示であるのかを示す表示内容情報の少なくとも１つを含み、前記表示色情報および前記表示内容情報は各ページ単位の情報とすること、を特徴とする。
【００２３】
また、請求項７にかかる発明は、請求項５または６にかかる画像処理システムにおいて、前記携帯端末の制御手段は、前記ファイル情報をバーコード画像として前記表示手段に表示させること、を特徴とする。
【００２４】
また、請求項８にかかる発明は、請求項４または６にかかる画像処理システムにおいて、前記画像形成装置は、前記携帯端末の表示手段に表示させる画像に関する表示指定情報をユーザから受け付ける操作手段、をさらに備え、前記画像形成装置の制御手段は、前記表示指定情報を前記携帯端末に通知し、前記携帯端末の制御手段は、前記画像形成装置の制御手段から通知された表示指定情報に基づいて、前記表示手段に画像を表示すること、を特徴とする。
【００２５】
また、請求項９にかかる発明は、請求項５〜７の何れか一つにかかる画像処理システムにおいて、前記携帯端末は、前記表示手段に表示させる画像に関する表示指定情報をユーザから受け付ける操作手段、をさらに備え、前記携帯端末の制御手段は、前記表示指定情報に基づいて前記表示手段に画像を表示すること、を特徴とする。
【００２６】
また、請求項１０にかかる発明は、請求項８または９にかかる画像処理システムにおいて、前記表示指定情報は、前記デジタルコンテンツの画像の一部分を示す情報であり、前記操作手段は、前記デジタルコンテンツの画像のページ毎に前記表示指定情報を受け付けること、を特徴とする。
【００２７】
また、請求項１１にかかる発明は、請求項８または９にかかる画像処理システムにおいて、前記操作手段は、前記表示指定情報を、前記デジタルコンテンツの画像のオブジェクト単位で受け付けること、を特徴とする。
【発明の効果】
【００２８】
請求項１にかかる発明によれば、携帯端末は、画像形成装置の読み取り手段が表示手段に表示されている画像を読み取ったことを認識した後に、表示手段に表示するデジタルコンテンツの画像を更新、すなわちページめくりを行なうようにしているので、携帯端末の表示手段に表示される画像を複数ページ複写する場合でも、自動的にページめくりを行なうことができ、操作性に優れた画像処理システムを得ることができるという効果を奏する。
【００２９】
また、請求項２にかかる発明によれば、画像形成装置が読み取り手段によって携帯端末の表示手段に表示されている画像を読み取った後に携帯端末にページ表示要求を通知し、携帯端末はページ表示要求の通知を受けると、表示手段に表示するデジタルコンテンツの画像を更新、すなわちページめくりを行なった後に画像形成装置にページ表示完了を通知するようにしているので、携帯端末側の画像表示と画像形成装置の画像読み取りとが連動して実行され、携帯端末の表示手段に表示される画像を複数ページ複写する場合でも、自動的にページめくりを行なうことができ、操作性に優れた画像処理システムを得ることができるという効果を奏する。
【００３０】
また、請求項３にかかる発明によれば、携帯端末は、画像形成装置の読み取り手段が画像を読み込むために照射する照明光を検出し、照明光を検出すると画像形成装置が表示手段に表示されている画像を読み取ったと認識して、表示手段に表示するデジタルコンテンツの画像を更新、すなわちページめくりを行なうようにしているので、画像形成装置および携帯端末に相互通信のための機能を追加することなく、携帯端末に照明光を検出する光学式センサを備えるだけで、携帯端末の表示手段に表示される画像を複数ページ複写する場合でも、自動的にページめくりを行なうことができ、操作性に優れた画像処理システムを得ることができるという効果を奏する。
【００３１】
また、請求項４にかかる発明によれば、画像形成装置の読み取り手段が携帯端末の表示手段に表示される画像を読み取る前に、携帯端末と画像形成装置とがネゴシエーションを行なって携帯端末の表示手段に表示されるデジタルコンテンツの画像のファイル情報をやり取りするようにしているので、画像の読み取りに必要な情報を確実に画像形成装置に通知することができ、携帯端末の表示手段に表示される画像を複数ページ複写する場合でも確実に画像を読み取ることができ、操作性に優れた画像処理システムを得ることができるという効果を奏する。
【００３２】
また、請求項５にかかる発明によれば、画像形成装置の読み取り手段が携帯端末の表示手段に表示される画像を読み取る前に、携帯端末は、表示手段にデジタルコンテンツの画像のファイル情報を表示し、画像形成装置は、表示手段に表示されたファイル情報を読み取り手段を用いて読み取るようにしているので、画像形成装置および携帯端末に相互通信のための機能を追加することなく、画像の読み取りに必要な情報を確実に画像形成装置に通知することができ、携帯端末の表示手段に表示される画像を複数ページ複写する場合でも確実に画像を読み取ることができ、操作性に優れた画像処理システムを得ることができるという効果を奏する。
【００３３】
また、請求項６にかかる発明によれば、ファイル情報は、デジタルコンテンツの画像の総ページ数、カラー画像であるのかモノクロ画像であるのかを示す表示色情報、文字のみの表示であるのか文字と写真とが混在している表示であるのか写真のみの表示であるのかを示す表示内容情報の少なくとも１つを含み、表示色情報および表示内容情報は各ページ単位の情報としているので、ページ単位で最適な画質モードを設定することができ、高品位な複写を行なうことができる画像処理システムを得ることができるという効果を奏する。
【００３４】
また、請求項７にかかる発明によれば、画像形成装置の読み取り手段が携帯端末の表示手段に表示される画像を読み取る前に、携帯端末は、表示手段にデジタルコンテンツの画像のファイル情報をバーコード画像として表示し、画像形成装置は、表示手段に表示されたファイル情報を読み取り手段を用いて読み取るようにしているので、画像形成装置および携帯端末に相互通信のための機能を追加することなく、画像の読み取りに必要な情報を確実に画像形成装置に通知して携帯端末の表示手段に表示される画像を複数ページ複写する場合でも確実に画像を読み取ることができ、操作性に優れた画像処理システムを得ることができるという効果を奏する。
【００３５】
また、請求項８にかかる発明によれば、画像形成装置は、携帯端末の表示手段に表示させる画像に関する表示指定情報をユーザから受け付け、受け付けた表示指定情報を携帯端末に通知し、携帯端末は、画像形成装置から通知された表示指定情報に基づいて表示手段にデジタルコンテンツの画像を表示するようにしているので、ユーザの要求に応じた画像のみを読み取ることができる画像処理システムを得ることができるという効果を奏する。
【００３６】
また、請求項９にかかる発明によれば、携帯端末は、表示手段に表示させる画像に関する表示指定情報をユーザから受け付けて表示指定情報に基づいて表示手段にデジタルコンテンツの画像を表示するようにしているので、ユーザの要求に応じた画像のみを読み取ることができる画像処理システムを得ることができるという効果を奏する。
【００３７】
また、請求項１０にかかる発明によれば、画像処理装置または携帯端末が受け付ける表示指定情報は、デジタルコンテンツの画像の一部分を示す情報であり、デジタルコンテンツの画像のページごとに指定可能にしているので、ユーザの要求に応じた画像を選択的に読み取ることができる画像処理システムを得ることができるという効果を奏する。
【００３８】
また、請求項１１にかかる発明によれば、画像処理装置または携帯端末は、携帯端末に表示するデジタルコンテンツの画像のオブジェクト単位で表示指定情報を受け付けるようにしているので、ユーザの要求に応じた画像を選択的に読み取ることができる画像処理システムを得ることができるという効果を奏する。
【発明を実施するための最良の形態】
【００３９】
以下に添付図面を参照して、この発明にかかる画像処理システムの最良な実施の形態を詳細に説明する。
【００４０】
（第１の実施の形態）
図１〜図４を参照して本発明の第１の実施の形態を説明する。この第１の実施の形態にかかる画像処理システムは、電子ブック端末とコピー機とを接続して相互通信を可能とし、電子ブック端末がコピー機のスキャン動作と連動して表示する画像の更新、すなわちページめくり動作を行なうものである。
【００４１】
図１は、この発明の第１の実施の形態にかかる画像処理システムの構成を示す概念図である。図１に示した画像処理システムは、電子ブック端末１（特許請求の範囲でいうところの携帯端末）と、コピー機２（特許請求の範囲でいうところの画像形成装置）とが、通信ケーブル３によって接続されている。
【００４２】
図２は、本発明の第１の実施の形態にかかる画像処理システムの構成を示すブロック図である。図２に示した画像処理システムは、操作部１１、制御部１２、表示部１３、通信インタフェース部１４、および記憶部１５を有する電子ブック端末１と、制御部２４、操作部２５、スキャナ２６（特許請求の範囲でいうところの読み取り手段）、通信インタフェース部２７、および複写部２８を有するコピー機２と、通信ケーブル３とを備えている。
【００４３】
記憶部１５は、半導体メモリなどで構成され、辞書や小説などの単行本や漫画などの文字情報や絵文字情報（特許請求の範囲でいうところのデジタルコンテンツ）を格納する。操作部１１は、電源ボタン、ページ送りボタン、ページ戻しボタン、メニューボタン、決定ボタンなどで構成され、ユーザが電子ブック端末１を操作するための入力インタフェースとして用いられる。
【００４４】
通信インタフェース部１４は、通信ケーブル３を介してコピー機２と相互通信を行なうためのインタフェース機能を備えている。制御部１２は、操作部１１を介して入力される指示に基づいて電子ブック端末１の各構成要素を統括的に制御して、記憶部１５に格納されている情報を表示部１３に表示する。また、制御部１２は、操作部１１を介して連動モードが指定された場合には、通信インタフェース部１４を介してコピー機２と通信を行ってコピー機２のスキャン動作と連動してページめくり動作を実行する。表示部１３は、たとえば、液晶ディスプレイなどで構成され、制御部１２からの指示によって表示データを表示する。
【００４５】
操作部２５は、スタートボタンや操作パネルなどで構成され、ユーザがコピー機２を操作するための入力インタフェースとして用いられる。スキャナ２６は、ＣＣＤセンサ（図示せず）、光学レンズ（図示せず）、駆動装置（図示せず）、原稿台２２、照明光源２６１、Ａ／Ｄ変換回路（図示せず）等で構成され、原稿台２２上に設置された原稿（この場合は、電子ブック端末１）に照明光源２６１の光を照射し、その反射光を受講することにより電子ブック端末１の画像を読み取り、ＣＣＤセンサにより画像の濃淡に対応した電気信号に変換し、Ａ／Ｄ変換回路がＣＣＤセンサによって変換された電気信号をディジタル信号に変換してディジタル画像データを生成する。
【００４６】
複写部２８は、一般的な伝写真技術を用いてスキャナ２６によって生成されたディジタル画像データを紙に複写する。通信インタフェース部２７は、通信ケーブル３を介して電子ブック端末１と相互通信を行なうためのインタフェース機能を備えている。制御部２４は、コピー機２の各構成要素を統括的に制御するとともに、操作部２５を介して連動モードが指定された場合には、通信インタフェース部２７を介して電子ブック端末１と通信を行って、電子ブック端末１にページめくり動作を実行させる。
【００４７】
つぎに、図３のフローチャートと、図４のタイミングチャートを参照して、この第１の実施の形態にかかる画像処理システムの動作を説明する。
【００４８】
コピー機２では、電子ブック端末１と連動して動作するためのモード「連動モード」に設定しておく必要がある。これは、ユーザが、コピー機２の操作部２５を用いて設定すればよい。
【００４９】
コピー機２の制御部２４は、操作部２５を介して連動モードが指定（ＯＮ）されると、スキャン可能状態であることを電子ブック端末１に通知するためのスキャン状態信号をアサートにする（ステップＳ１００）。図４においては、スキャン状態信号を“Ｌ”にする。
【００５０】
一方、ユーザは、電子ブック端末１の操作部１１を用いて出力したいファイルを指定する（ステップＳ１０１）。操作部１１は、電子ブック端末１の制御部１２に指定されたファイルを通知する。ユーザは、操作部１１を用いてコピー機２と同期して動作する「連動モード」を設定する。操作部１１は、連動モードが設定されたことを制御部１２に通知し、制御部１２は、コピー機２に連動モードであることを通知するための連動モード信号をアサートにする（ステップＳ１０２）。図４においては、連動モード信号を“Ｌ”にする。
【００５１】
操作部２５によってユーザからコピー開始の指示（スタートボタンが押された）を受けたことを示すコピー開始信号がアサート（図４の場合は“Ｌ”）になると、コピー機２の制御部２４は、電子ブック端末１が連動モードであるか否かを判定する（ステップＳ１０４）。電子ブック端末１が連動モードではない（連動モード信号がネゲート（図４の場合は“Ｈ”））の場合、制御部２４は、通常の複写モードであると判定して、一般的な複写動作を行なって処理を終了する。
【００５２】
電子ブック端末１が連動モード（連動モード信号が“Ｌ”）の場合、コピー機２の制御部２４は、ページ表示要求信号をアサート（図４の場合は“Ｌ”）にして、電子ブック端末１にページ表示要求を通知する（ステップＳ１０５）。制御部２４は、ページ表示要求信号をアサートにした後、予め定められたサンプリング周期で、電子ブック端末１が表示を完了したか否か（ページ表示完了信号がアサートか否か）を判定する動作を開始する。
【００５３】
コピー機２からページ表示要求を受けると（ページ表示要求信号がアサートになったことを検出すると）、電子ブック端末１の制御部１２は、先のステップＳ１０１において指定されたファイルのデータを記憶部１５からロードして表示部１３に１ページ分のデータを表示する（ステップＳ１０６，Ｓ１０７）。
【００５４】
表示部１３に１ページ分のデータの表示が完了した後に、電子ブック端末１の制御部１２はコピー機２にページ表示完了を通知するページ表示完了信号を所定の時間だけアサート（図４の場合は“Ｌ”）にする（ステップＳ１０８，Ｓ１０９）。所定の時間とは、コピー機２が表示完了信号の状態を確認するサンプリング周期よりも長い時間とする。
【００５５】
電子ブック端末１からページ表示完了の通知を受けると（ページ表示完了信号がアサートになったことを検出すると）、コピー機２の制御部２４は、スキャン開始をスキャナ２６に通知してスキャン動作を開始させるとともに、ページ表示要求信号およびスキャン状態信号をネゲートにする（ステップＳ１１０，Ｓ１１１）。
【００５６】
スキャナ２６は、照明光源２６１を光らせて電子ブック端末１の表示部１３に表示されている画像を読み取ってディジタル画像データを生成し、複写部２８がディジタル画像データを紙に複写する。
【００５７】
スキャン動作（ディジタル画像データの生成）が終了すると、制御部２４は、スキャン状態信号をアサートにして、電子ブック端末１にスキャン可能であることを通知する（ステップＳ１１２，Ｓ１１３）。
【００５８】
コピー機２がスキャンを終了したこと（スキャン状態信号がアサートであること）を検出すると、電子ブック端末１の制御部１２は、現在表示部１３に表示しているデータが最終ページであるか否かを判定する（ステップＳ１１４，Ｓ１１５）。制御部１２は、ステップＳ１０１においてファイルが指定された時点で、このファイルが何ページであるのか、すなわち何ページ複写するのかを認識しており、ページめくり（表示部１３に表示したページ）の回数をカウントしておけば、現在表示部１３が表示しているデータが最終ページであるか否かを判定することができる。
【００５９】
現在表示しているデータが最終ページではない場合、電子ブック端末１の制御部１２は、コピー機２からのページ表示要求があるか否かを判定するステップＳ１０６に戻る。現在表示しているデータが最終ページの場合、制御部１２は、連動モード信号をネゲート（図４の場合は“Ｈ”）にして処理を終了する（ステップＳ１１６）。
【００６０】
コピー機２の制御部２４は、電子ブック端末１が連動モード（連動モード信号がアサート）か否かを判定する（ステップＳ１１７）。電子ブック端末１が連動モード（連動モード信号がアサート）の場合、制御部２４は、複写すべきデータが残っていることと判断して、ページ表示要求信号をアサートにするステップＳ１０５に戻る。電子ブック端末１が連動モードではない（連動モード信号がネゲート）の場合、制御部２４は、全ての複写が終了したと判断して処理を終了する。
【００６１】
以上説明したように、この第１の実施の形態によれば、電子ブック端末１およびコピー機２にそれぞれ通信インタフェース１４，２７を備えて相互通信を可能とし、コピー機２の制御部２４がスキャナ２６によって表示部１３に表示されている画像を読み取った後に電子ブック端末１にページ表示要求の通知し、電子ブック端末１の制御部１２は、ページ表示要求の通知を受けると、表示部１３に表示する画像を更新、すなわちページめくりを行った後にコピー機２にページ表示完了を通知するようにしているので、電子ブック端末１の画像表示とコピー機２の画像読み取りとが連動して実行され、表示部１３に表示される画像を複数ページ複写する場合でも、電子ブック端末１を取り上げてページめくりを行ったのちに、再び原稿台に電子ブックを設置してコピースタートボタンを押すという作業を繰り返すことなく、自動的にページめくりを行なって複写することができる。
【００６２】
（第２の実施の形態）
図５〜図９を参照してこの発明の第２の実施の形態を説明する。第１の実施の形態では、コピー機２と電子ブック端末１とを通信ケーブル３によって接続して相互通信を可能とし、電子ブック端末１がコピー機２のスキャン動作と連動してページめくり動作を行なうようにした。この第２の実施の形態では、通信ケーブル３を用いて電子ブック端末１とコピー機２とを接続することなく、電子ブック端末１がコピー機２のスキャン動作と連動してページめくり動作を行なうものである。
【００６３】
図５は、この発明にかかる第２の実施の形態の画像処理システムの構成を示すブロック図である。図５に示した画像処理システムは、電子ブック端末１ａと、コピー機２ａとを備えている。コピー機２ａは、先の図２に示した第１の実施の形態のコピー機２の通信インタフェース部２７が削除されており、一般的なコピー機と同じ機能を備えている。図２に示したコピー機２と同じ構成部分には同一符号を付し、重複する説明は省略する。なお、コピー機２ａには、電子ブック端末１ａと通信を行なう機能はないので、制御部２４は、コピー機２ａの各構成要素を統括的に制御する機能のみを備えている。
【００６４】
電子ブック端末１ａは、図２に示した電子ブック端末１の通信インタフェース部１４の代わりに、光センサ１６，１７（特許請求の範囲でいうところの光学式のセンサ）を備えている。なお、図２に示した電子ブック端末１ａと同じ機能を持つ構成部分には同一符号を付し、重複する説明は省略する。
【００６５】
光センサ１６，１７は、フォトダイオードやフォトトランジスタなどの受光素子を用いて構成され、光が入射すると電気信号に変換する。光センサ１６，１７は、図６に示すように、表示部１３の対角位置に配置され、コピー機２ａがスキャン動作時に照射する照明光源２６１の光を検出して制御部１２に通知する。制御部１２は、光センサ１６，１７からの通知に基づいて、ページめくり動作を実行する。
【００６６】
つぎに、図７および図８のフローチャートと、図９のタイミングチャートを参照して、この発明にかかる第２の実施の形態の画像処理システムの動作を説明する。まず、図７のフローチャートを参照して、コピー機２ａの動作を説明する。
【００６７】
ユーザは、操作部２５を用いて連動モードを設定（ＯＮ）する（ステップＳ２００）。これにより、制御部２４は、連動モードでコピー機２ａを動作させる制御を開始する。
【００６８】
ユーザは、操作部２５を用いて、複写したいページ数をセットする（ステップＳ２０１）。操作部２５は、セットされたページ数を制御部２４に通知する。
【００６９】
操作部２５によってユーザからコピー開始の指示（スタートボタンが押された）を受けたことを示すコピー開始信号がアサートになると、制御部２４は、所定時間Ｔ１の計測を開始して、所定時間Ｔ１が経過した後に、スキャン開始をスキャナ２６に通知してスキャン動作を開始させる（ステップＳ２０２〜Ｓ２０４）。
【００７０】
スキャナ２６は、照明光源２６１を光らせて電子ブック端末１の表示部１３に表示されている画像を読み取ってディジタル画像データを生成し、複写部２８がディジタル画像データを紙に複写する。
【００７１】
スキャン動作が終了すると、制御部２４は、ステップＳ２０１によってセットされたページ分のスキャンを実行したか否かを判定する（ステップＳ２０６）。具体的には、制御部２４は、スキャナ２６にスキャン開始を通知した回数をカウントしておき、セットされたページ数と比較して、セットされたページ分のスキャンを実行したか否かを判定する。
【００７２】
セットされたページ分のスキャンが実行されていない場合、制御部２４は、所定時間Ｔ１の計測を開始するステップＳ２０３に戻って、セットされたページ数分のスキャン動作を繰り返す（ステップＳ２０３〜Ｓ２０６）。
【００７３】
つぎに、図８のフローチャートを参照して、電子ブック端末１ａの動作を説明する。ユーザは、操作部１１を用いてコピー機２と同期して動作する「連動モード」を設定（ＯＮ）する（ステップＳ３００）。操作部１１は、連動モードが設定されたことを制御部１２に通知する。これにより、制御部１２は、連動モードで電子ブック端末１ａを動作させる制御を開始する。
【００７４】
ユーザは、操作部１１を用いて出力したいファイルを指定する（ステップＳ３０１）。操作部１１は、制御部１２に指定されたファイルを通知する。制御部１２は、操作部１１から通知されたファイルのデータを記憶部１５からロードして表示部１３に１ページ分のデータを表示する（ステップＳ３０２）。
【００７５】
コピー機２ａの照明光源２６１の光を受光すると、光センサ１６，１７は、制御部１２に光を受光したことを通知する。ここでは、光センサ１６が光センサ１７よりも先に照明光源２６１の光を受光するようにコピー機２ａの原稿台２２に設置されているものとする。光センサ１６と光センサ１７とは対角する位置に配置されているので、光センサ１６がコピー機２ａの照明光源２６１の光を受光したことは、コピー機２ａのスキャン動作が開始されたことを意味し、光センサ１７がコピー機２ａの照明光源２６１の光を受光したことは、表示部１３に表示されているデータのスキャン動作が終了したことを意味する。すなわち、光センサ１６が照明光源２６１の光を変換した電気信号は、スキャン開始を示すスキャン開始信号となり、光センサ１７が照明光源２６１の光を変換した電気信号は、スキャン終了を示すスキャン終了信号となる。
【００７６】
コピー機２ａの照明光源２６１の光を受光すると、光センサ１６は予め定められた時間だけスキャン開始信号をアサートにし、光センサ１７は予め定められた時間だけスキャン終了信号をアサートにする。
【００７７】
スキャン開始信号がアサートになったことを検出した後、スキャン終了信号がアサートになったことを検出すると、制御部１２は、現在表示部１３に表示しているデータが最終ページであるか否かを判定する（ステップＳ３０５）。
【００７８】
現在表示しているデータが最終ページではない場合、制御部１２は、次に表示すべきデータを記憶部１５からロードして表示部１３に表示するステップＳ３０２に戻って、最終ページの表示が終了するまで、光センサ１６，１７からの受光通知を受けるとつぎのページを表示する動作を繰り返す（ステップＳ３０２〜Ｓ３０５）。
【００７９】
つぎに、図９のタイミングチャートを参照して、コピー機２ａと電子ブック端末１ａとの動作関係を説明する。コピー機２ａの制御部２４は、操作部２５からのコピー開始信号がアサート（この場合は“Ｌ”）になったことをトリガにして、所定時間Ｔ１を計測する。
【００８０】
一方、電子ブック端末１ａの制御部１２は、連動モード信号がアサート（この場合は“Ｌ”）になったことをトリガにして、ローディング動作（記憶部１５から指定されたファイルを読み出して表示部１３に表示する動作）を実行する。この動作は、コピー機２ａの制御部２４が計測している所定時間Ｔ１内に行なわれる。
【００８１】
コピー機２ａの制御部２４は、所定時間Ｔ１の計測が終了するとスキャン状態信号をネゲート（この場合は“Ｈ”）にして、スキャナ２６にスキャン動作を開始させる。このとき、データを読み込むためにスキャナ２６は照明光源２６１を光らせる。
【００８２】
電子ブック端末１ａの光センサ１６は、照明光源２６１の光を受光すると所定の時間だけスキャン開始信号をアサート（この場合は“Ｌ”）にし、電子ブック端末１ａの光センサ１７は、照明光源２６１の光を受光すると所定の時間だけスキャン終了信号をアサート（この場合は“Ｌ”）にする。
【００８３】
電子ブック端末１ａの制御部１２は、スキャン終了信号がアサートになると、現在表示しているデータをコピー機２ａが読み込んだと判断して、次のページのローディング動作を開始する。
【００８４】
一方、コピー機２ａのスキャナ２６は、スキャン動作が終了するとスキャン状態信号をネゲート（この場合は“Ｌ”）にし、制御部２４は所定時間Ｔ１の計測を開始する。
【００８５】
以上説明したように、この第２の実施の形態によれば、電子ブック端末１ａの制御部１２は、表示部１３の対角位置に配置された光センサ１６，１７が、コピー機２ａのスキャン動作時に照射される照明光源２６１の光を検出した場合に、コピー機２ａのスキャン動作が完了したと認識して、表示部１３に表示する画像を更新、すなわちページめくりを行なうようにしているので、表示部１３に表示される画像を複数ページ複写する場合に、電子ブック端末１ａおよびコピー機２が相互通信を行なうことなく自動的にページめくりを行なうことができ、電子ブック端末１を取り上げてページめくりを行ったのちに、再び原稿台に電子ブックを設置してコピースタートボタンを押すという作業を繰り返すことなく電子ブック端末１ａの表示部１３に表示された画像を複写することができる。
【００８６】
なお、この第２の実施の形態では、説明を簡単にするために、光センサ１６がスキャン開始信号を出力し、光センサ１７がスキャン終了信号を出力するようにして、制御部１２がスキャン開始信号を検出した後にスキャン終了信号を検出する順序で説明したが、光センサ１６がスキャン終了信号を出力し、光センサ１７がスキャン開始信号を出力するようにしてもよい。先の図６に示したように、２つの光センサ１６，１７は表示部１３の対角の位置に配置されているので、電子ブック端末１ａをどのような向きでコピー機２ａの原稿台２２に設置しても、必ず一方の光センサが表示部１３の画面の先端部で照明光源２６１の光を受光し、他方の光センサが表示部１３の画面の後端部で照明光源２６１の光を受光することになる。したがって、制御部１２は、ローディング動作が終了した後に、最初に検出した信号をスキャン開始信号とし、後に検出した信号をスキャン終了信号と認識すればよく、電子ブック端末１ａの原稿台２２への設置向きに依存することなく、ページめくり動作を行なうことができる。
【００８７】
（第３の実施の形態）
図１０を用いてこの発明の第３の実施の形態を説明する。先の第１の実施の形態では、コピー機２と電子ブック端末１とが、ページめくりに関する情報のみをやり取りした。この第３の実施の形態では、ページめくりに関する情報のほかに、複写時の画質モードの設定などのネゴシエーションを行って高品質な複写を行なうものである。
【００８８】
この第３の実施の形態の画像処理システムの構成は、先の図１および図２に示した第１の実施の形態の画像処理システムと同じであるので、ここではその説明を省略する。
【００８９】
つぎに、図１０のフローチャートを参照して、この第３の実施の形態の画像処理システムの動作を説明する。なお、第３の実施の形態の画像処理システムの動作と、第１の実施の形態の画像処理システムの動作との相違点は、ページめくり動作を開始する前にネゴシエーションを行なうことのみであるので、ページめくり動作に関する動作については、先の図３のフローチャートと同一ステップを付与し、その説明を省略する。
【００９０】
ユーザは、コピー機２の操作部２５を用いて連動モードを設定する。コピー機２の制御部２４は、操作部２５を介して動作モードがＯＮになると、ネゴシエーションを開始する（ステップＳ４００）。
【００９１】
一方、ユーザは、電子ブック端末１の操作部１１を用いて出力したいファイルを指定する（ステップＳ４０１）。操作部１１は、電子ブック端末１の制御部１２に指定されたファイルを通知する。
【００９２】
ユーザは、電子ブック端末１の操作部１１を用いてコピー機２と同期して動作する「連動モード」を設定する。操作部１１は、連動モードが設定（ＯＮ）されたことを電子ブック端末１の制御部１２に通知し、制御部１２は、ネゴシエーションを開始する（ステップＳ４０２）。具体的には、制御部１２は、通信インタフェース部１４を介して、指定されたファイルのファイル情報をコピー機２に通知する。ファイル情報とは、指定されたファイルのページ数情報、カラー／モノクロ情報（表示色情報）、文字のみのページであるか写真を含むページであるかといった表示内容情報などであり、表示色情報および表示内容情報は、ページ単位の情報である。
【００９３】
コピー機２の制御部２４は、通信インタフェース部２７を介して通知されたファイル情報をページ単位で記憶する。
【００９４】
ネゴシエーションが終了すると、電子ブック端末１の制御部１２は連動モード信号をアサートにし（ステップＳ４０３）、コピー機２の制御部２４はスキャン状態信号をアサートにして（ステップＳ４０４）、スタートボタンが押されたか否かを判定する処理に移行して、第１の実施の形態と同様の動作を行なう。コピー機２の制御部２４は、スキャン動作の際に、ネゴシエーションによって通知されたファイル情報に基づいて、各ページ毎に、カラーまたはモノクロモードの設定、各ページ毎に画質モード（文字モード、文字写真モード、写真モード）を設定する。
【００９５】
以上説明したように、この第３の実施の形態においては、電子ブック端末１およびコピー機２にそれぞれ通信インタフェース１４，２７を備えて相互通信を可能とし、コピー機２のスキャナ２６が電子ブック端末１の表示部１３に表示される画像を読み取る前に、電子ブック端末１とコピー機２とがネゴシエーションを行なって電子ブック端末１の表示部１３に表示される画像のファイル情報をやり取りするようにしているので、画像の読み取りに必要な情報を確実にコピー機２に通知することができ、表示部１３に表示される画像を複数ページ複写する場合でも確実に画像を読み取ることができる。
【００９６】
また、この第３の実施の形態においては、ファイル情報を、総ページ数、カラー画像であるのかモノクロ画像であるのかを示す表示色情報、文字のみの表示であるのか文字と写真とが混在している表示であるのか写真のみの表示であるのかを示す表示内容情報とし、表示色情報および表示内容情報については各ページ単位の情報としているので、ページ単位で最適な画質モードを設定することができ、高品位な複写を行なうことができる。
【００９７】
（第４の実施の形態）
図１１〜図１３を用いてこの発明の第４の実施の形態を説明する。この第４の実施の形態は、先の第２の実施の形態のように、電子ブック端末１ａとコピー機２ａとが非接続の場合のファイル情報のやり取りに関するものである。
【００９８】
この第４の実施の形態の画像処理システムの構成は、先の図５に示した第２の実施の形態の画像処理システムと同じであるが、電子ブック端末１ａの制御部１２は、指定されたファイルのファイル情報を２次元バーコード化して表示部１３に表示する機能を備え、コピー機２ａの制御部２４は、スキャナ２６によって電子ブック端末１ａの表示部１３に表示された２次元バーコードを解析してファイル情報を記憶する機能を備えている。
【００９９】
つぎに、図１１および図１２のフローチャートを参照して、この第４の実施の形態の画像処理システムの動作を説明する。まず、図１１のフローチャートを参照して、電子ブック端末１ａの動作を説明する。なお、この第４の実施の形態の電子ブック端末１ａの動作は、第２の実施の形態の電子ブック端末１ａとほぼ同じであり、相違点は、先の図８のフローチャートで説明したユーザが操作部１１を用いて出力したいファイルを指定し、操作部１１が制御部１２に指定されたファイルを通知するステップＳ３０１と、制御部１２が通知されたファイルのデータを記憶部１５からロードして表示部１３に１ページ分のデータを表示するステップ３０２の間に、制御部１２がファイル情報を２次元バーコード化して表示部１３に表示するステップＳ５００の動作を行なうものであるので、ここでは、ステップＳ５００の動作のみを説明する。
【０１００】
操作部１１からファイルが通知されると（ステップＳ３０１）、制御部１２は、通知されたファイル情報を、図１３に示すような２次元バーコード化して表示部１３に表示させる（ステップＳ５００）。
【０１０１】
制御部１２は、所定時間（コピー機２が表示された２次元バーコードをスキャンするのに要する時間）が経過した後に、操作部１１から通知されたファイルのデータを記憶部１５からロードして表示部１３に１ページ分のデータを表示し、最終ページの表示が終了するまで、光センサ１６，１７からの受光通知を受けるとつぎのページを表示する動作を繰り返す（ステップＳ３０２〜Ｓ３０５）。
【０１０２】
つぎに、図１２のフローチャートを参照して、コピー機２ａの動作を説明する。なお、この第４の実施の形態の動作は、第２の実施の形態のコピー機２ａとほぼ同じであり、相違点は、先の図７のフローチャートで説明したユーザが操作部２５を用いて連動モードを設定（ＯＮ）にするステップＳ２００の後に、電子ブック端末１ａの表示部１３に表示された２次元バーコードをスキャンするステップＳ６００〜Ｓ６０２を行ってコピー開始指示を検出するステップＳ２０２に移行するところであるので、ここでは相違点のみを説明する。
【０１０３】
ユーザが操作部２５を用いて連動モードを設定（ＯＮ）する（ステップＳ２００）と、制御部２４は連動モードでコピー機２ａを動作させる制御を開始する。制御部２４は、スキャン開始をスキャナ２６に通知してスキャン動作を開始させる。
【０１０４】
スキャナ２６は、スキャン動作を実行して電子ブック端末１ａの表示部１３に表示されている２次元バーコードを読み取ってディジタル画像データを作成し、作成したディジタル画像データを制御部２４に通知する（ステップＳ６００）。
【０１０５】
制御部２４は、ディジタル画像データを解析して、ファイル情報を取得する。制御部２４は、ファイル情報を取得できなかった場合には、スキャン開始をスキャナ２６に通知してスキャン動作を開始させ、ディジタル画像データを解析してファイル情報を取得する動作を繰り返す（ステップＳ６００，Ｓ６０１）。
【０１０６】
制御部２４は、取得したファイル情報をページ単位で記憶する（ステップＳ６０２）。ファイル情報を記憶した後に、操作部２５によってユーザからコピー開始の指示（スタートボタンが押された）を受けたことを示すコピー開始信号がアサートになると、制御部２４は、所定時間Ｔ１の計測を開始して、所定時間Ｔ１が経過した後に、スキャン開始をスキャナ２６に通知してスキャン動作を開始させる（ステップＳ２０２〜Ｓ２０４）。制御部２４は、スキャン動作の際に、ファイル情報に基づいて、ページ毎にカラーまたはモノクロモードや画質モード（文字モード、文字写真モード、写真モード）を設定する。
【０１０７】
スキャン動作が終了すると、制御部２４は、総ページ数分のスキャン動作が完了するまで、所定時間Ｔ１が経過した後にスキャンを行なう動作を繰り返す（ステップＳ２０３〜Ｓ２０６）。
【０１０８】
以上説明したように、この第４の実施の形態においては、コピー機２ａのスキャナ２６が電子ブック端末１ａの表示部１３に表示される画像を読み取る前に、電子ブック端末１ａの制御部１２は、表示部１３に表示する画像のファイル情報を２次元バーコードとして表示部１３に表示させ、コピー機２ａの制御部２４は、スキャナ２６によって電子ブック端末１の表示部１３に表示された２次元バーコードを読み込んでファイル情報を取得するようにしているので、画像の読み取りに必要な情報を確実にコピー機２ａに通知することができ、表示部１３に表示される画像を複数ページ複写する場合でも確実に画像を読み取ることができる。
【０１０９】
また、この第４の実施の形態においては、ファイル情報を、総ページ数、カラー画像であるのかモノクロ画像であるのかを示す表示色情報、文字のみの表示であるのか文字と写真とが混在している表示であるのか写真のみの表示であるのかを示す表示内容情報とし、表示色情報および表示内容情報については各ページ単位の情報としているので、ページ単位で最適な画質モードを設定することができ、高品位な複写を行なうことができる。
【０１１０】
（第５の実施の形態）
上述した第１〜第４の実施の形態では、ファイル単位で全てのページを複写している。しかし、ユーザによってはファイルの特定の情報のみを複写したいというケースがある。例えば、特定ページのみの複写、あるいは地図のみの複写、文字部のみの複写、写真部のみの複写、特定のエリアのみの複写などである。
【０１１１】
このような要望に対しては、２つの実現手段が考えられる。１つめの実現手段は、コピー機側に必要な情報を設定しておくことである。具体的には、第３の実施の形態の画像処理システムにおいては、先の図１０のフローチャートを参照して説明したように、コピー機２と電子ブック端末１がネゴシエーションを行なってファイルに関する情報をコピー機２の制御部２４に記憶させている。ここで、ユーザが、コピー機２の操作部２５を用いて、出力したい特定ページや、文字のみ／写真のみ／地図のみといったオブジェクト、特定エリアなどを指定する。特定ページ、特定オブジェクトは、操作パネルに選択ボタンを表示し、例えば、ページを示す数字キーを複写したい順に押していくことで設定可能としておけばよい。また、特定オブジェクトは「文字のみ」、「写真のみ」、「地図のみ」、「全て」といった選択ボタンを表示させ、ユーザが選択可能にしておけばよい。また、特定エリアは、サムネール画像を表示させ、ペンポインタ入力で複写したい領域を選択できるようにしておけばよい。
【０１１２】
コピー機２の操作部２５は指定された内容を制御部２４に通知し、制御部２４は、通知された情報をネゴシエーションによって電子ブック端末１の制御部１２に通知する。制御部１２は、通知された情報を記憶しておき、コピー機２からページ表示要求を受けると、記憶した情報に基づいてユーザから指定されたページや画像を、タイミングを取って順次表示する。
【０１１３】
２つめの実現手段は、電子ブック端末１側で必要な情報を設定しておくことである。具体的には、ユーザがファイルの内容を見ながら、操作部１１を用いて表示したい順番に、所望するページあるいは部分画像にマーク（しおり）を付けていく。操作部１１はしおりを制御部１２に通知し、制御部１２は通知されたしおりの情報を記憶しておく。そして、コピー機２からページ表示要求を受けると、制御部１２は記憶したしおりに基づいて、記憶部１５からデータを読み出して表示部１３に表示させる。
【０１１４】
２つめの実現手段は、電子ブック端末に必要な情報を設定するので、第４の実施の形態の画像処理システムのように電子ブック端末１ａとコピー機２ａとが接続されていない場合でも実現可能である。この場合は、先の図１１のフローチャートにおいてユーザが操作部１１を用いてファイルを指定する際にしおりも指定するようにすればよい。
【０１１５】
以上説明したように、この第５の実施の形態においては、電子ブック端末１，１ａの操作部１１、またはコピー機２ａの操作部２５が、電子ブック端末１，１ａの表示部１３が表示するファイルの特定ページのみの複写、あるいは地図のみの複写、文字部のみの複写、写真部のみの複写、特定のエリアのみの複写など表示指定情報を受け付け、電子ブック端末１，１ａの制御部１２は、表示指定情報に基づいて表示部１３に画像を表示するようにしているので、ユーザの要求に応じた画像を選択的に複写することができる。
【０１１６】
なお、第１〜第５の実施の形態では、複写すべき画像を表示する機器として電子ブック端末を例に挙げて説明したが、ＰＤＡのような携帯端末であってもかまわない。また、コピー機を用いて紙に複写することを前提として説明したが、スキャンして電子化（ディジタル画像データを生成）する装置、たとえばスキャナ装置であってもかまわない。
【０１１７】
さらに、スキャン動作を行なう読み取り手段（スキャナ２６）は、キャリッジが移動して情報を読み取るものを例に挙げて説明したが、デジタルカメラによる読み取り手段であってもかまわない。この場合は、フラッシュ露光をトリガとしてページめくり動作を行なうようにすればよい。
【図面の簡単な説明】
【０１１８】
【図１】第１の実施の形態にかかる画像処理システムの構成を示す概念図である。
【図２】第１の実施の形態にかかる画像処理システムの構成を示すブロック図である。
【図３】第１の実施の形態にかかる画像処理システムの動作を説明するためのフローチャートである。
【図４】第１の実施の形態にかかる画像処理システムの動作を説明するためのタイミングチャートである。
【図５】第２の実施の形態の画像処理システムの構成を示すブロック図である。
【図６】図５に示した電子ブック端末の光センサの配置位置を示す図である。
【図７】第２の実施の形態の画像処理システムのコピー機の動作を説明するためのフローチャートである。
【図８】第２の実施の形態の画像処理システムの電子ブック端末の動作を説明するためのフローチャートである。
【図９】第２の実施の形態の画像処理システムの動作を説明するためのタイミングチャートである。
【図１０】第３の実施の形態の画像処理システムの動作を説明するためのフローチャートである。
【図１１】第４の実施の形態の画像処理システムの電子ブック端末の動作を説明するためのフローチャートである。
【図１２】第４の実施の形態の画像処理システムのコピー機の動作を説明するためのフローチャートである。
【図１３】２次元バーコードの一例を示す図である。
【図１４】従来技術を説明するための図である。
【図１５】従来技術を説明するための図である。
【符号の説明】
【０１１９】
１，１ａ，１００  電子ブック端末
２，２ａ  コピー機
３  通信ケーブル
１１，２５  操作部
１２，２４  制御部
１３  表示部
１４，２７  通信インタフェース部
１５  記憶部
１６，１７  光センサ
２１  圧版
２２  原稿台
２３  スタートボタン
２６  スキャナ
２８  複写部
１１１  電源
１１２  メニューボタン
１１３  ページ戻しボタン
１１４  ページ送りボタン
１１５  決定ボタン
２６１  照明光源
【図１】
2006254224.tif 000003
【図２】
2006254224.tif 000004
【図３】
2006254224.tif 000005
【図４】
2006254224.tif 000006
【図５】
2006254224.tif 000007
【図６】
2006254224.tif 000008
【図７】
2006254224.tif 000009
【図８】
2006254224.tif 000010
【図９】
2006254224.tif 000011
【図１０】
2006254224.tif 000012
【図１１】
2006254224.tif 000013
【図１２】
2006254224.tif 000014
【図１３】
2006254224.tif 000015
【図１４】
2006254224.tif 000016
【図１５】
2006254224.tif 000017